(57)【特許請求の範囲】
【請求項１】
留め具を備えた外包材と、前記外包材の内部に設けられた複数のカード収納襞とを備えており、
前記複数のカード収納襞は、襞部材の屈曲部を上端部から下端部まで縫着して構成され、カードを収納するための六角形状のカード収納室を規定しており、
また、前記複数のカード収納襞の上部及び下部は開口され、前記カード収納室は連通され、前記複数のカード収納襞の底部と前記外包材の底部との間に空隙が存在しており、
収納すべきカードは、カード収納襞の上部開口及び下部開口を通して前記外包材の前記底部に当接するように挿入され、前記外包材の開閉によって前記カード収納室の幅が変化することを特徴とするカードケース。
【請求項２】
前記複数のカード収納襞のうち両外側のカード収納襞は、その側面が前記外包材に縫着されていることを特徴とする請求項１に記載のカードケース。
【請求項３】
前記襞部材には、縫着接合される縫着部の端部に切欠きが設けられていることを特徴とする請求項１又は２に記載のカードケース。
【請求項４】
前記複数のカード収納襞の前記底部と前記外包材の前記底部との空隙は、５〜２０ｍｍであることを特徴とする請求項１に記載のカードケース。
【請求項５】
前記複数のカード収納襞のうち外側のカード収納襞と前記外包材との間に、補助収容室が設けられていることを特徴とする請求項１〜４のいずれかに記載のカードケース。
【発明の詳細な説明】
【技術分野】
【０００１】  本発明はカードケースに関する。更に詳しくは各種多数のカードを一個のケースに一枚ずつ各別に収納でき、しかもカード出し入れ時に外包材を開くとカード収納室の幅が大になり、カードが立体的に立ち上がり、カードの出し入れや識別等容易に出来、コンパクトなカードケースに関する。更にはカードが脱落しにくいカードケースに関する。更には紙幣や他の小物類等を収納可能な補助収納室を外包材や内部に備え、且つ携帯に便利でコンパクトなカードケースに関する。
【背景技術】
【０００２】  金融機関や他のサービス機関等が発行した多数のカードが使用されている。従来カードケースとしてカード収納室を備えた財布が使用されていた。このような財布として、特許文献１に一方の内面に紙幣収納室を備え他方の内面に段状に形成されたカード収納室を備えた財布が開示されている。
又特許文献２や３等に内面の両側に段状に形成されたカード収納室を備えた財布が開示されている。
前記３件に開示された技術にあつては、ある小量のカードは収納可能かもしれないが、多数のカードをそれぞれの収納室に一枚ずつ収納する事は不可能である。前記技術において多数のカードを収納する場合、カード収納室一室に複数のカードを重ねて収納する必要があり必然的にカードの識別や出し入れ等が困難となる。又一室に一枚ずつ収納する場合、多数の収納室を備える必要があり、大型の財布となる。従ってコンパクト性に劣る物となる。【０００３】  特許文献４にカバー材の内部に、合成樹脂シート等が山谷折りされ収納室が蛇腹状に形成された小物収容具が開示されている。又特許文献５にカバー本体の内部に交互に複数個所折り曲げた蛇腹体を一端側面から二つ折りにし、折返し面を接着した扇状の蛇腹体を備えたカードケースが開示されている。
前記２件に開示された技術にあつては収納室が蛇腹体に形成されているので、本体の開閉により収納物が立体的に立ち上がるという機能がある。【０００４】  しかし前記特許文献４に開示された技術にあつては、一枚物の基材を突出片を有する特殊構造に打ち抜き、Ｖ状の波型に折り曲げ谷と山を交互に形成し、突出片を外側に折り曲げ本体部を外側から支え、夫々の収容部を形成した物である。この技術にあつては夫々の収容部は突出片で支えているのみであり縫着等がされていない。従つて各収容部が襞部で外れ易い。又各収容部はその底部が閉塞し一室を構成している。従つてその底部に異物等が堆積し易く、該異物等により、カードを損傷する事があつた。また手入れする場合すべての収容物を抜き取って手入れする必要があつた。更に底部が閉塞しているので、小物収容具を開いた時カードはその底部の縁部が接しているのみで、カードの底部近傍の面が挟持されていない。従つて小物収容具を開きその出し入れ口を下方に傾斜した場合、カードが脱落するという課題がある。又屈曲部が湾曲した構造であり、長期使用により屈曲部が更に変形し易いという課題がある。【０００５】  又前記特許文献５に開示されたカードケースの場合、夫々の収納室は側面の仕切りがなく、蛇腹体の対面する略Ｖ状に形成された空間部の両端にカードの両端のみ挟み込んで収納するように構成されている。従つてカードを収納する場合、カードが正しい収納室に収納されず、隣接する他の収納室にカードの一方の端部が入り込んだ状態で収納される事がある。従つてカードケースやカード等が損傷し易い。又各収納室の底部は閉塞し夫々の収納室を構成している。従つてその底部に異物等が堆積し易い。従つてすべてのカードをぬきとつて掃除する必要があつた。更に底部が閉塞しているので、カードケースを開いた時カードはその底部の縁部が接しているのみで、カードの底部近傍の側面が挟持されていない。従つてカードケースを開きその出し入れ口を下方に傾斜した場合、カードが脱落するという課題がある。【０００６】  又前記特許文献４や５等に開示された技術には、収容部や蛇腹体の底部とカバー等の間が閉塞された構造となつている。従つて該空間部に略棒状の小物等を収納出来ない。
【特許文献１】  特開平９−３０８５１３
【特許文献２】  特開２００１−２３８７１４
【特許文献３】  登録実用新案公報第３０６４７６
【特許文献４】  特開平９−１５６６４８
【特許文献５】  実開平１−１３１５７１
【発明の開示】
【０００７】  本発明は前記背景技術の課題を解決するために為されたものであり、一個のケースに多数のカードを一枚ずつ各別に収納可能で、カードケースを開くと隣接するカード間の幅が大となりカードが立体的に立ち上がり、カードの出し入れや識別等が容易なカードケースを提供するものである。又カード以外の他の書類や紙幣等も収納可能なカードケースを提供するものである。又カード出し入れ時にカドケースを下方に傾斜してもカードが脱落しにくいカードケースを提供するものである。又カードケースの手入れが容易で、その底部に棒状の小物等が収納可能で、かつコンパクトなカードケースを提供するものである。
【課題を解決するための手段】
【０００８】  本発明は前記課題を解決するため、カード収納室、外包材等の構成や使用する材料等を鋭意研究し成されたものであり、以下に示すようなカードケースを提供するものである。
【０００９】
本発明の請求項１に記載のカードケースは、留め具を備えた外包材と、前記外包材の内部に設けられた複数のカード収納襞とを備えており、
前記複数のカード収納襞は、襞部材の屈曲部を上端部から下端部まで縫着して構成され、カードを収納するための六角形状のカード収納室を規定しており、
また、前記複数のカード収納襞の上部及び下部は開口され、前記カード収納室は連通され、前記複数のカード収納襞の底部と前記外包材の底部との間に空隙が存在しており、
収納すべきカードは、カード収納襞の上部開口及び下部開口を通して前記外包材の前記底部に当接するように挿入され、前記外包材の開閉によって前記カード収納室の幅が変化することを特徴とする。
【００１０】
また、本発明の請求項２に記載のカードケースでは、前記複数のカード収納襞のうち両外側のカード収納襞は、その側面が前記外包材に縫着されていることを特徴とする。
【００１２】
また、本発明の請求項３に記載のカードケースでは、前記襞部材には、縫着接合される縫着部の端部に切欠きが設けられていることを特徴とする。
【００１３】
また、本発明の請求項４に記載のカードケースでは、前記複数のカード収納襞の前記底部と前記外包材の前記底部との空隙は、５〜２０ｍｍであることを特徴とする。
【００１４】
更に、本発明の請求項５に記載のカードケースでは、前記複数のカード収納襞のうち外側のカード収納襞と前記外包材との間に、補助収容室が設けられていることを特徴とする。
【発明の効果】
【００１９】
本発明の請求項１に記載のカードケースによれば、カード収納室を規定するカード収納襞が多数配置されているので、多数のカードをコンパクトに収納することができる。また、カード収納室が六角形で、カード出し入れ時、外包材の開閉等によりその幅が密着状態から広幅状態まで変化するように構成されているので、外包材などを開くと隣接する全てのカード間が大きくなり、カードが立体的に立ち上がるようになる。従って、カードの出し入れがし易くなるとともに、カードの識別が容易となる。また、外包材を開くと、カード収納室の幅が広幅状態となると同時に長さが小となるので、収納されたカードが挟み込まれるようになる。また、襞部材の屈曲部が縫着されてカード収納襞が六角形となっているので、かかる屈曲部がシャープで、長時間使用する事が可能となる。
加えて、複数のカード収納襞の底部と外包材の底部との間に空隙が設けられ、カード収納室の上部及び下部が開口され、このカード収納室が連通されているので、カード収納室の底部に異物等が堆積しない構造となっている。また、異物等は外包材の底部に堆積するようになるので、異物等の確認が容易となり、カードを収納した状態でその底部から異物等を簡単に除去することが可能となる。また、カードはその底部近傍の側面がカード収納室の底部の開口部に挟み込まれるように収納され、外包材を開いた時にカード収容室の長さが小となってカードの両方の縁部がカード収容室の屈曲部で挟み込まれるように収納されるので、カードの出し入れ時にカードケースを開いた状態で下方に傾斜してもカードが脱落し難い。尚、外包材の底部とカード収納襞の底部との間の空隙は、筆記用具などの棒状部材を有能する収納空間としても利用することができる。
【００２０】
また、本発明の請求項２に記載のカードケースによれば、両外側のカード収納襞の側面が外包材に縫着されているので、カード出し入れ時における外包材の開閉のみで、カード収納室の幅が密着状態から広幅状態まで変化し、カードの出し入れや識別を容易にすることができる。
【００２２】
また、本発明の請求項３に記載のカードケースによれば、襞部材の縫着部の端部に切欠きが設けられているので、切欠きを密着させた襞部材を重ね、糸で縫着してカード収納襞を製造する際、直線状の縫着部、即ちカード収容室の深さ方向に直線状の屈曲部を形成することが可能となる。また、縫着部に針孔が形成されるので、屈曲性が一層良い、シャープな屈曲部を形成することができる。
【００２３】
また、本発明の請求項４に記載のカードケースによれば、複数のカード収納襞の底部と外包材の底部との空隙が５〜２０ｍｍであるので、収納すべきカードをカード収納襞の上部開口及び下部開口を通して外包材の底部に当接するように挿入して所要の通りに収納することができる。
【００２４】
更に、本発明の請求項５に記載のカードケースによれば、外側のカード収納襞と外包材との間に補助収納室が設けられているので、補助的なもの収容するための収納室として利用することができる。
【発明を実施するための最良の形態】
【００２９】  以下図面を参照しながら本発明に係るカードケースを実施するための最良の形態を説明する。図１は本発明に係るカードケースを開いたときの概略斜視図である。図２はカード収納室の概略斜視図である。図７は芯材に表面布帛が接合された表面部材の概略平面図である。図８は表面部材に内面部材が接合された外包材の概略平面図である。
本発明の実施形態に係る図１のカードケース１は、形状保持性を有する外包材２の内部に多数のカード収納襞３を備えている。このカードケースは中央折り曲げ部Ｖや延設部折り曲げ部Ｒ等で折り曲げて使用するように構成されている。この折り曲げ部Ｖの左側内面と右側内面に挟み込まれるようにカード収納襞３を多数備えている。図１の形態ではカード収納襞を１１個備えている。又カード収納襞は一個に一室のカード収納室４を備えている。【００３０】カード収納室４はカード出し入れ時における外包材の開閉等により、その屈曲部Ｋ即ち六角形となる各部位の糸による深さ方向の直線状の縫着ライン２０で屈曲し、本体の開閉等により収納室の幅ｗが変化するように構成されている。このカード収納室４は開いたとき、上部の縁部や下部の縁部等の形状が六角形の形状をしている（図１、図２）。又カード収納室はカード出し入れ口及び下部が共に開口し連通している（図２）。
外包材２は延設部２４を備えている。この延設部はカード収納襞３及び外包材の一部を包み込むような蓋体を構成している。又外包材には留め具８を備えている。この留め具は面で固着する留め具で、その一個を外包材延設部の内側に備え、他の一個を外包材の左表面側に備えている（図１）。
本発明の実施形態に係るカードケースは内面布帛１７を接合した内面部材６の左右に、カード収納襞の最初の襞部材及び最後の襞部材１０が、糸で縫着ライン２０のように図１で示す奥側にそれぞれ二箇所ずつ縫着されている。又カード収納襞はその底部と外包材内側の底部との間に空隙Ｍを有するように配置されている。この縫着により、多数のカード収納襞即ちカード収納襞群１２が外包材の内部に確実に備えられ、しかも外包材の開閉により全てのカード収納室が連動しその幅が変化するように構成されている。
本発明の他の実施形態に係るカードケースは、延設部のない外包材でも良い。又留め具８は、面留め具、ホツク留め具、ボタン留め具、チヤツク留め具、その他各種の留め具を用いる事ができる。又前記留め具は外包材に直接備えていても良く、他の部材を併用し外包材に接合されたものであつてもよい。他の部材を併用したものは、例えば第一の留め具を備えた帯状片を外包材に接合し、他の第二の留め具を外包材に備えた物等が例示できる。【００３２】  外包材２は各種の材料が使用可能である。この外包材は単層構造の物、多層構造の物等いずれも使用可能である。とりわけ形状保持性を有する芯材１９が外包材を構成するひとつの材料として好ましく用いられる。この芯材は例えば各種の板紙、合成樹脂板、木質板、硬質化された布、硬化剤で処理された板紙、不織布、熱融着された不織布、接着剤で接着された不織布、麻織物等が例示できる。又芯材として前記材料を二種以上併用した物が使用可能である。
外包材は前記芯材と各種布帛の併用物が使用可能である。例えば板紙を芯材とし、これに織物を重ね合わせ接合した物等が例示できる。又外包材として、板紙と不織布を重ね更に織物を表面側及び内面側に重ね、接合した物等が例示できる。又芯材として不織布と第一の板紙を配置し、表面布帛で不織布側を包み込み端部を板紙に接合し、第二の板紙に内面布帛で内面側を包み込み接合した物を更に、前記表面布帛が接合された第一の板紙に重ね接合した物等が例示できる。
又外包材として、不織布に色相や物性等の異なる他の不織布を重ね接合した物、板紙に合成樹脂フイルムを熱接着し更にその外側を織物で包み込み接合した物等、何れも使用可能である。
とりわけ外包材として、板紙、不織布、合成樹脂板等の芯材が少なくとも一個配置された物は形状保持性が良く、曲げ追従性の良さ、価格の安さ等の点で好ましく用いられる。又板紙は適度の吸湿性があるという点で好ましく用いられる。
また外包材として動物の皮革や合成皮革、マイクロフアイバー等が使用された合成皮革等も使用可能である。【００３３】  本発明の実施形態で使用する芯材１９は厚みが約０・１から４ｍｍであり、好ましくは約０・１から３ｍｍであり、更に好ましくは約０・２から２ｍｍである。芯材の長さや幅は外包材全体の長さや幅とほぼ同じであれば良い。又芯材は全体が一体物でカードケースの上蓋を形成する長さの延設部２４を有する物が用いられる（図１、図７）。
芯材１９は中央折り曲げ部Ｖ及び延設部折り曲げ部Ｒに相当する部位にそれぞれ二本ずつ直線状の細長いプレス線２３が形成された物が好ましく用いられる。この線間の幅は芯材の折り曲げ幅ｍ、即ちカードケースの厚みｇにほぼ等しい。又プレス線の代わりに、溝状に打ち抜き加工された物や刃物等で細い線状の物が加工されたもの等も使用可能である。【００３４】  本発明に係る実施形態において、外包材２は表面部材５に内面部材６が接合されている（図１）。この表面部材５は、芯材１９が表面布帛１６で表面側から内面側に包み込まれるように覆われ折り曲げ部１８が内側に折り曲げて芯材に接合されている（図７）。この折り曲げ部の幅は約５から３０ｍｍである。又外包材は内面に内面布帛が直接接合された物でもよい。又表面布帛で芯材の表面側、内面側全部覆われていても良い。
表面布帛１６は織物、編み物、不織布、動物の皮革、合成皮革、合成樹脂膜、前記いずれかの布帛二種以上の併用等何れも使用可能である。またクレープのある織物、刺繍がある布、起毛された布等何れも使用可能である。
又図８で示すように左表面側に面状の留め具８が接合されている。【００３５】  本発明に係る実施形態において、内面部材６は芯材に内面布帛が接合された物が使用されている。図８に示すように表面部材５より小さい寸法の芯材に、内面布帛が積層され、その折り曲げ部が奥側に折り曲げて内面部材６の芯材に接合されている。内面部材６は更に表面部材に接合されている。折り曲げ部１８の表面布帛が内面に現れる幅ｃは約１から２０ｍｍである。
この内面布帛は前記表面布帛で例示したような各種布帛が使用可能である。とりわけ剛性のある硬さ指数４０以下の布帛が好ましく用いられる。なお硬さ指数とは後記のテスト法による。
この布帛として、レーヨン織物が糊剤で処理された布、綿織物が糊剤で処理された布、スパンボンド法ポリエチレンテレフタレート不織布、スパンポンド法ポリオレフイン系不織布、レーヨン長繊維不織布等が提示できる。又前記布帛と熱接着性不織布が接合された布帛等が例示できる。
又内面部材に用いられる芯材は前記表面部材同様の芯材が使用可能である。この芯材は内面全体に使用する事もでき、内面の一部に使用する事もできる。この芯材は前記同様、中央折り曲げ部や延設部折り曲げ部等に相当する部位に、その折り曲げ幅に相当する線状のプレス線を二本ずつ備えていても良い。又この芯材は厚みが前記表面部材の芯材より小さいものが、外包材全体の厚みを小とする事が可能であるという点で好ましく用いられる。しかし内面部材には芯材が配置されていなくとも良い。
又内面部材には図８に示すように延設部２４に面状の留め具８が接合されている。【００３６】  前記表面部材用の芯材と表面布帛の接合、内面部材用の芯材と内面布帛の接合、表面部材と内面部材の接合等は各種の接合が適用可能である。例えば糸による縫着、接着剤による接着、鋲止め等が例示できる。しかし接着剤によるものは接着部が幅の広い面状で接着できるという点で好ましく用いられる。【００３７】
一個のカード収納襞３は襞部材１０が二枚重ねられ、六角形の角部に該当する部位が糸で直線状に深さ方向に縫着され、一室のカード収納室４を備えた襞を構成している（図２）。この縫着により縫着ライン２０が形成され、かかる縫着ライン２０は、図２及び図３などに明確に示されているように、カード収納襞３の上端部から下端部まで直線状に設けられ、屈曲部Ｋとしても形成される。左右の縁部９は約１から３ｍｍその内側が縫着されている。この縫着により、縫着ライン２０部に縫い糸のピッチに相当する数の針孔が形成される。
又カード出し入れ口に相当する上部２１、及び下部２２は開口し、しかも連通したカード収納室４を構成している。図２で示す奥側の襞部材は図示していない内面部材に糸で左右二箇所ずつ直線状に縫着され、更にこの内面部材が外包材２に接着剤で接合されている。
又手前側のカード収納襞は隣接する奥側のカード収納襞にそれぞれ襞部材が糸で縫着されている。奥側の襞部材と手前側の襞部材との間には、狭小な空隙７が形成されている。しかしこの空隙は襞部材が密着しているので、実質的にはその幅は約０・５ｍｍ以下である。
又カード収納襞３はその底部に空隙Ｍを有する様に配置されている（図１、図２）。この空隙Ｍは主として異物の堆積阻止、及びその発見がし易い、手入れがやり易い、等の機能がある。又筆記用具等のような棒状体を装着できるという機能もある。つまり、多数のカードを収納したとき、カードを抜き取らず、収納した状態で、その空隙Ｍを簡単に掃除する事が可能である。
本実施形態において、カード収納室４は襞部材が糸で縫着されているので、糸による強い接合がされている。しかもこの縫着は実質的に糸の直径分の狭い幅で接合されている。つまり、接着剤や、溶着等による接合は接合部の接合幅を大にとる必要があるが、本形態では、接合部の幅が狭く直線状に縫着されている。本形態では、縫着時、襞部材の縫着ライン２０に多数の小さい針孔が直線状に形成されている。従つて、全部の屈曲部Ｋがシャープな屈曲性を有する。
又本実施形態では、一個のカード収納室の長さｐは密着時で約４５から１００ｍｍで、深さｈは約４０から８０ｍｍである。又カード収納室の幅ｗは開いた時で約１から８０ｍｍである。
【００３８】  図５の実施形態は補助収納室を左右一室ずつ備えたカード収納襞群を開いたときの模式図である。図６は補助収納室及び長さの長いカード収納室１１を備えたカード収納襞群を開いたときの模式図である。
本発明に係る実施形態では、一個のカード収納襞３に一室のカード収納室４を備えたカード収納襞３を複数個備えている。図５の例では９個備えている。又図６の例では長さが短いカード収納襞を９個、長さが長いカード収納襞を一個備えている。
このカード収納室４は、襞部材が二枚ずつ糸で縫着されて一室が六角形に構成されている。カード出し入れ時における外包材の開閉によりそれぞれの収納室の幅ｗが変化するように構成されている。又角部が糸で直線状に縫着され、且つ針孔が形成されているので、開いたとき屈曲部Ｋがシャープな形状となる。
又図５の例では本体内面の左側、及び右側に一室ずつ補助収納室１３を備えている。この補助収納室の補助収納室部材１４にカード収納襞３の最初の襞部材と最後の襞部材がそれぞれ接合されている。この接合は糸で縫着されている。
補助収納室１３は長さｂがカード収納室の長さｐより大に構成されている。しかし補助収納室の長さは特に限定されない。
図６の例では本体内面の左側に補助収納室１３を備え、長さが長いカード収納襞が補助収納室に接合されている。又最後の襞部材は外包材に接合されている。
又本発明に係る実施形態では、補助収納室に蓋体を備えていても良い。【００３８】  本発明の実施形態に係る襞部材１０は、硬さ指数が４０以下の布帛が好ましく用いられる。ここで硬さ指数とは後記測定法によるものである。
硬さ指数が４０以下の布帛は比較的剛性があり、カード収納室の屈曲部以外の部位が曲がつたり、皺が発生したりする事が無い。従つてカードの出し入れがスムーズに出来る。又剛性があるのでカード収納襞が屈曲部でバネ様の弾性作用がある。従つて外包材を開いた時、カード収納襞群に閉じようとする力が働き、逆にカード収納襞群を密着しようとする時、カード収納襞群に開けようとする力が働き、急激な開閉等によるカードの脱落を阻止できる。又スムーズな自然な開閉が出来る。又延設部を有するカードケースの場合、外包材を開いたとき蓋体として機能する延設部自体の重さでカード収納室の幅を大にする事が可能であり、スムーズな開閉が出来る。【００３９】  前記硬さ指数のテスト法は以下の方法による。試料を幅５ｃｍ、長さ１０ｃｍに切断し試験片とする。この試験片を水平なテーブル上に置く。試験片の長さ７ｃｍをテーブルの端部からはみ出し、他方の３ｃｍをテーブル上に置いた状態でその上部に金属片を載せ、試験片を固定する。一分経過後、はみ出し垂れ下がつた試験片の先端部とテーブルの垂直距離をｍｍ単位で測定する。垂れ下がつた垂直距離を硬さ指数とする。【００４０】  本発明に係る実施形態に備える襞部材１０は、各種の布帛が使用可能である。例えば織物、編み物、不織布、紙、天然皮革、合成皮革、合成樹脂フイルム、等が使用可能である。勿論前記の併用物も使用可能である。前記不織布が積層された物、前記いずれかの布帛と他の布帛が積層され熱接着や接着剤で接合された物、前記布帛が硬化剤で処理された物等を使用する事ができる。とりわけ剛性があり、且つ繊維が用いられた布帛が好ましく用いられる。例えば硬さ指数が４０以下の布帛は剛性があり好ましく用いられる。又開閉時にカード収納襞の屈曲部がバネ様の弾性作用も有するので好ましく用いられる。
又繊維が用いられた布帛は、糸による縫着で強い屈曲部を形成する事が可能である。【００４１】  本発明に係る実施形態において、襞部材はカード収納室一室分に相当する寸法の布帛を使用する事が出来る。
図４は折り曲げた襞部材の概略斜視図である。図４の実施形態では、縫着部に相当する二箇所の部位に小さな切欠部Ｓを有し、二つ折りにした物である。折り曲げ部がカード上部の出し入れ口側に相当する。カード収納室の二倍の深さがあるものを切欠部を有するように打ち抜くか、カード収納室の二倍の深さがあるものを打ち抜いた後、鋏み等で切欠部を切り取る事等により襞部材とする。図４の実施形態では縫着部二箇所に切欠部を備えているが、更に左右の縁部近傍の縫着部にも前記のような切欠部を備えていても良い。しかし該Ｓは二箇所で十分である。このような切欠部を備える事により、折り曲げた襞部材を積層し縫着する際、縫着部位を正確に位置決めし、かつ直線状の縫着ラインを形成する事が可能である。即ち多数のカード収納襞を正確に位置決めし、どのカード収納襞も正確な六角形のカード収納室を形成する事が出来る。
又二つ折りした後その下部近傍を接着剤で接着し一個の襞部材とする事も可能である。接着した襞部材はカード収納襞の下部近傍が開口せず、しかもほつれ等が阻止できる。
又二つ折りした襞部材はそのカードの出し入れ口に相当する上部の縁部の解れ等が防止できる。従つて長期間使用可能である。【００４２】  本発明の実施形態において、カードケースに補助収納室を備える事が出来る。図３は補助収納室とカード収納室の概略斜視図である。図３の実施形態では外包材の内部に補助収納室１３を備え、更にカード収納襞３を備えている。補助収納室は補助収納室部材１４が外包材に糸で縫着されている。又補助収納室部材１４はその底部が縫着され閉塞されている。又その上部に留め具８を備えた蓋１５が接合されている。この補助収納室は、深さがカード収納室の深さよりも大に構成されている。手前側の襞部材１０は補助収納室部材１４に左右二箇糸で直線状に縫着されている。二枚の襞部材がその屈曲部Ｋで縫着され六角形のカード収納室４を構成している。又カード収納室の上部、底部は共に開口し連通した構造となつている。又カード収納襞は、その底部と外包材の底部との間に空隙を有するように配置されている。なお補助収納室部材は前記襞部材や外包材等で例示したような各種の布帛が使用可能である。又補助収納室は留め具がある事が好ましいがなくとも良い。【００４３】  本発明に係る他の実施形態において、補助収納室はカードケースの各種の位置に装着が可能である。例えば、カード収納襞郡のほぼ中央部に備えたもの、外包材の表面側に備えたもの、外包材の表面側に一室、外包材内部の側面に一室備えたもの等が例示できる。
又補助収納室は、外包材に多層構造の表面布帛や内面布帛等を配置し、その一部の布帛を補助収納室部材として兼用する事が可能である。又補助収納室部材として透明な布帛を配置する事が可能である。【００４４】    本発明に係る実施形態において、カードケース１はカード収納襞群全体を外包材に包み込んだ構造とすることが出来る。図９の実施形態は留め具８としてチヤツクを備え、カード収納襞郡全体を外包材の内部に包み込んだ構造の物である。この実施形態では１０個のカード収納襞を備えている。それぞれの襞部材の屈曲部Ｋが糸で深さ方向に直線状に縫着され、六角形のカード収納室を備えている。又最初の襞部材と最後の襞部材は内面布帛に糸で縫着され、更に内面布帛が外包材に接合されている。この接合により、チヤツクを開き、更に外包材をカード収納室の幅ｗ方向に開いた時、カード収納室の幅が大となるように構成されている。又カード収納襞群はその底部に空隙Ｍが５から２０ｍｍあるように配置されている。
【実施例１】
【００４５】  延設部を有する外包材の内側にカード収納襞を１１個備えたカードケース１を製造した。カード収納襞３は一個の収納襞に一室のカード収納室を備えたものであつた。又外包材の延設部の内面と左側の表面部に留め具８を備えたものであつた。外包材２は厚み０．５ｍｍの板紙を芯材として用いた。この板紙は比較的硬質で且つ柔軟性を兼ね備えたものであつた。この板紙を両手で曲げた時、くつきりした角部が具現せずゆるやかに湾曲し、曲げ追従性があるものであつた。この板紙を切断し長さ８５ｍｍ、延設部を含む全体の幅が２４５ｍｍの芯材とした。図７に示すように、この芯材の中央折り曲げ部Ｖ及び延設部折り曲げ部Ｒにそれぞれ二本ずつプレス線２３を押圧した。この幅ｍは１５ｍｍであつた。又線Ｍ自体の幅は約０．７ｍｍであつた。【００４６】  クレープ加工されたポリエチレンテレフタレート繊維織物を、芯材の寸法より折り曲げ部の幅分大きい寸法に切断し表面布帛とした。この布は黒色に染色されたものであつた。表面布帛に芯材を重ね、幅１５ｍｍの折り曲げ部１８を内側に折り曲げ酢酸ビニル系の接着剤を用い芯材に接着し、図７に示すような表面部材５を得た。なお表面布帛は延設部の反対側表面の所定部位に面留め具８を縫着したものを用いた。この留め具は布に略Ｕ状の繊維が多数植毛されたものであつた。【００４７】  内面部材として、厚み０・２ｍｍの板紙を芯材とし、この芯材にポリエチレンテレフタレート不織布を接合した物を使用した。この芯材は前記表面部材の芯材よりも幅や長さが１０ｍｍ小さいものであつた。又折り曲げ部ＶやＲ等に二本ずつのプレス線を押圧した。内面布帛はその折り曲げ部を外側に折り曲げ、酢酸ビニル系の接着剤で接着した。なお内面布帛は延設部の所定の内面に面留め具８を糸で縫着したものを用いた。この留め具は布に略Ｊ状の繊維が多数植毛された物であつた。【００４８】  襞部材１０としてポリエチレンテレフタレート不織布を用いた。この不織布を縦１２０ｍｍ、横６８ｍｍに切断した。更に上部の縁部、及び下部の縁部に二個ずつ図４に示すような切欠部Ｓを設けた。夫々の切欠部Ｓは端部から１５ｍｍの位置に設けた。この不織布を図４に示すように二つ折りし、更にその下部を酢酸ビニル系の接着剤で接着し、深さｈが６０ｍｍの襞部材とした。この襞部材を２２個製造した。この襞部材は、硬さ指数が接着前の不織布で２８であつた。
前記襞部材を重ね屈曲部に相当する切欠部Ｓや縁部９近傍を糸で直線状に縫着した。このカード収納襞群は、両手で開くと適度のバネ様の抵抗感があり、離すと自然に密着するものであつた。
更に襞部材を前記内面部材に積層し、最初の襞部材と最後の襞部材それぞれの屈曲部を糸で縫着した。なお襞部材はその底部と内面部材の底部との距離が１０ｍｍとなるように縫着した。
前記カード収納襞が縫着された内面部材を、前記表面部材に重ね、夫々の折り曲げ部が一致するように位置決めした。更に酢酸ビニル系の接着剤を用い、内面部材の外側を接着し、図１に示すようなカードケース１を得た。【００４９】  このカードケースは、折り畳み更に留め具で外包材を留めた状態で、幅ｆが９５ｍｍ、厚みｇが１５ｍｍ、長さｄが８５ｍｍであつた。又カード収納室の長さｐが６２ｍｍ、深さｈが６０ｍｍであつた。
又外包材２は、表面部材５より内面部材が小さく、内面側に現れる表面布帛の幅ｃが５ｍｍであつた。
このカードケース１は１１個のカード収納襞に１１室のカード収納室４を備えたものであつた。このカードケースは外包材２を開いた時、それぞれのカード収納室すべてその幅ｗが大となり、且つ六角形となるものであつた。又その屈曲部に針孔がありしかも屈曲部がシャープであつた。開いたとき、中央部のカード収納室で幅ｗが約１３ｍｍであつた。
又カード収納襞の底部と外包材の底部間に幅１０ｍｍの空隙Ｍがあるものであつた。
このカードケースに１１個のカードを一室に一枚ずつカードの底部がカードケースの底部に接するように収納した。なおカードは５７ｍｍ×８６ｍｍで、その  長尺部の端部がカードケースの底部に当接するように挿入した。即ちカード収納室の底部から１０ｍｍ延出した状態でカードを収納した。
このカードケースは留め具で留めたとき、隣接するカード収納室が密着しカード収納性が良く、しかも嵩張らずコンパクト性に優れたものであつた。又外包材を開いたとき、それぞれのカード収納室はその幅ｗが大となり、且つ六角形となるものであつた。又隣接するカードが離れ、カードが立体的に立ち上がリ、カードの識別や出し入れ等が容易に出来るものであつた。しかも開いたときカード収納室の長さｐが小となり、カード収納室の両端部の屈曲部Ｋでカードの両縁部が挟みこまれるようになるものであつた。又外包材を開いた時カードの下部近傍の両面がカード収納室の底部近傍に挟みこまれるようになるものであつた。カードケースを開いた状態でカードの垂直状態から１３５度下方に傾斜したがカードは脱落せず全て収納されていた。なおこの傾斜角度は図１の状態から更に約４５度下方に傾斜した事を意味する。又外包材の開閉時に、襞部材の屈曲部がバネ様の弾性があり、急激な開閉とならず、若干抵抗感のある自然な開閉が出来た。
又カードケース内部の底部に空隙Ｍがあるので、底部の掃除が容易に可能なものであつた。又カードケースはその表面布帛が適度のザラツキ感があり、風合いが良いものであつた。
【実施例２】
【００５０】  動物皮革を用いた外包材の内部にカード収納襞を１０個備えたカードケースを製造した。このカードケースは図９に示すように一個のカード収納襞に六角形のカード収納室を一室備えたものであつた。又留め具８としてチヤツクを備えたものであつた。
襞部材１０やカード収納襞３等は前記実施例１に同じ物を使用した。但し、カード収納襞は１０個備えたものを使用した。又内面布帛として綿平織物が糊剤で処理された布を用いた。この布帛は硬さ指数が２４であつた。この内面布帛に前記カード収納襞を糸で左右二箇所ずつ縫着した。なおカード収納襞はその底部と外包材の底部に空隙Ｍが１２ｍｍあるように縫着した。
褐色に着色された牛皮を外包材として用いた。この牛皮を切断し二つ折りし、更にチヤツクを糸で縫着した。
前記カード収納襞が縫着された内面布帛を外包材の内側に入れ、更に糸で縫着し、図９に示すようなカードケース１を製造した。【００５１】  このカードケースは、チヤツクで外包材を留めた状態で、厚みが１３ｍｍ、幅が９５ｍｍ、長さが９５ｍｍであつた。又カード収納室の長さｐが６２ｍｍ、深さｈが６０ｍｍであつた。
このカードケース１は１０個のカード収納襞に１０室のカード収納室４を備えたものであつた。このカードケースはチヤツクを開け外包材を開いた時、それぞれのカード収納室すべてその幅ｗが大となり、且つ六角形となるものであつた。開いたとき、中央部のカード収納室で幅ｗが約１２ｍｍであつた。
又カード収納襞の底部と外包材の底部に幅１２ｍｍの空隙Ｍがあるものであつた。
このカードケースに１０個のカードを一室に一枚ずつ収納した。なおカードは５７ｍｍ×８６ｍｍで、その短尺部の端部がカードケースの底部に当接するように挿入した。【００５２】  このカードケースはチヤツクで留めたとき、隣接するカード収納室が密着しカード収納性が良く、しかも嵩張らずコンパクト性に優れたものであつた。チヤツクを開け、外包材を開いたとき、それぞれのカード収納室はその幅ｗが大となり、且つ六角形となるものであつた。又その屈曲部に針孔がありしかも屈曲部がシャープであつた。又隣接するカードが離れ、カードが立体的に立ち上がリ、カードの識別や出し入れ等が容易に出来るものであつた。しかも開いたときカード収納室の長さｐが小となり、カード収納室の両端部の屈曲部Ｋでカードの両縁部が挟みこまれるようになるものであつた。又外包材を開いた時カードの下部近傍の両面がカード収納室の底部近傍に挟みこまれるようになるものであつた。カードケースを開いた状態でカードの垂直状態から１３５度下方に傾斜したがカードは脱落せず全て収納されていた。又外包材の開閉時に、襞部材の屈曲部がバネ様の弾性があり、急激な開閉とならず、若干抵抗感のある自然な開閉が出来た。
又カードケース内部の底部に空隙Ｍがあるので、底部の掃除が容易に可能なものであつた。又カードケースはその表面側が適度の柔らかさがあり、風合いが良いものであつた。
【図面の簡単な説明】
【００５３】
【図１】  カードケースの概略斜視図。
【図２】  カード収納室の概略斜視図。
【図３】  補助収納室とカード収納室の概略斜視図。
【図４】  折り曲げた襞部材の概略斜視図。
【図５】  補助収納室を左右一室ずつ備えたカード収納襞群を開いたときの模式図。
【図６】  補助収納室及び長さの長いカード収納室を備えたカード収納襞群を開いたときの模式図。
【図７】  芯材に表面布帛が接合された表面部材の概略平面図。
【図８】  表面部材に内面部材が接合された外包材の概略平面図。
【図９】  チヤツクを備えたカードケースの概略斜視図。
【符号の説明】
【００５４】１    カードケース
２    外包材
３    カード収納襞
４    カード収納室
５    表面部材
６    内面部材
７    狭小な間隙
８    留め具
９    カード収納襞の縁部
１０  襞部材
１１  長さが大のカード収納室
１２  カード収納襞群
１３  補助収納室
１４  補助収納室部材
１５  蓋
１６  表面布帛
１７  内面布帛
１８  布帛の折り曲げ部
１９  芯材
２０  縫着ライン
２１  上部の開口部
２２  下部の開口部
２３  プレス線
２４  延設部
【００５５】Ｋ    屈曲部
Ｍ    空隙
Ｒ    延設部の折り曲げ部
Ｓ    切欠部
Ｖ    中央折り曲げ部
【００５６】ｂ    補助収納室の長さ
ｃ    表面布帛が内面に現れる幅
ｄ    カードケースの長さ
ｆ    カードケースの幅
ｇ    カードケースの厚み
ｈ    カード収納室の深さ
ｍ    芯材の折り曲げ幅
ｐ    カード収納室の長さ
ｗ    カード収納室の幅
【図１】
0004575025.tif 000002
【図２】
0004575025.tif 000003
【図３】
0004575025.tif 000004
【図４】
0004575025.tif 000005
【図５】
0004575025.tif 000006
【図６】
0004575025.tif 000007
【図７】
0004575025.tif 000008
【図８】
0004575025.tif 000009
【図９】
0004575025.tif 000010